【手続補正書】
【提出日】令和3年9月21日(2021.9.21)
【手続補正１】
【補正対象書類名】特許請求の範囲
【補正対象項目名】全文
【補正方法】変更
【補正の内容】
【特許請求の範囲】
【請求項１】
所定のコードが付されたアイテムを対象とし、アイテムの種類を確認するアイテム確認装置であって、
本体装置と、本体装置を設置する設置台とを有し、
本体装置は、撮影機能を有する撮影部と、光学的手段によるコード読み取り機能を有するコード読み取り部を個別に有し、
設置台は、本体装置を保持する保持部と、鏡部を有し、
本体装置が保持部に取り付けられ、アイテムの撮影又はアイテムに付されたコードの読み取りのいずれか一方を直接的に実施し、鏡部を介して他方を間接的に実施することを特徴とするアイテム確認装置。
【請求項２】
撮影部でアイテムを直接的に撮影し、鏡部を介してコード読み取り部でアイテムに付されたコードを間接的に読み取る動作を含むことを特徴とする請求項１に記載のアイテム確認装置。
【請求項３】
外部にアイテムに関連するアイテム情報が記憶された外部記憶手段があり、当該アイテム情報にはアイテムに付されたコードに関する情報が含まれ、
本体装置は通信手段を有していて外部記憶手段を含む外部装置との間で情報通信が可能であり、
本体装置によってアイテムに付されたコードを読み取り、本体装置及び／又は外部装置でアイテム情報を参照し、コードが付されたアイテムが目的のアイテムであるか否かを確認することが可能であることを特徴とする請求項１又は２に記載のアイテム確認装置。
【請求項４】
本体装置は内部記憶手段を有し、当該内部記憶手段には、アイテムに関連するアイテム情報が記憶されており、当該アイテム情報にはアイテムに付されたコードに関する情報が含まれ、
本体装置によってアイテムに付されたコードを読み取り、アイテム情報を参照し、コードが付されたアイテムが目的のアイテムであるか否かを確認することが可能であることを特徴とする請求項１乃至３のいずれかに記載のアイテム確認装置。
【請求項５】
設置台は、本体装置及び／又は鏡部の姿勢を変更可能であることを特徴とする請求項１乃至４のいずれかに記載のアイテム確認装置。
【請求項６】
本体装置は表示部を有し、表示部が傾斜姿勢又は垂直姿勢となる様に、設置台に本体装置を保持することが可能であることを特徴とする請求項１乃至５のいずれかに記載のアイテム確認装置。
【請求項７】
アイテム確認装置は、集められたアイテムの種類を確認するものであり、
集めるべきアイテムは薬剤及び／又はサプリメントであり、
本体装置は表示部を有し、当該表示部に集めるべきアイテムに関する情報を表示可能であり、
アイテムに付されたコードを読み取り、コードを解析して当該アイテムが集めるべきアイテムであるか否かを確認し、集めるべきアイテムであることを条件として、撮影が可能となることを特徴とする請求項１乃至６のいずれかに記載のアイテム確認装置。
【請求項８】
アイテム確認装置は、集められたアイテムの種類を確認するものであり、
集めるべきアイテムが複数種類ある場合には、集めるべき全ての種類のアイテムのコードが読み取られたことを条件として、撮影が可能となり、撮影された映像のデータが本体装置及び／又は他の機器に記憶されることを特徴とする請求項１乃至７のいずれかに記載のアイテム確認装置。
【請求項９】
アイテムの撮影時又はアイテムに付されたコードの読み取り時に発生する音声を録音可能であることを特徴とする請求項１乃至８のいずれかに記載のアイテム確認装置。
【請求項１０】
鏡部は下半分の面積が上半分の面積よりも大きいものであることを特徴とする請求項１乃至９のいずれかに記載のアイテム確認装置。
【請求項１１】
アイテム確認装置と、処方データを有する外部記憶手段と、通信手段を有する鑑査支援システムであって、
前記アイテム確認装置は、集められたアイテムの種類を確認するものであり、集めるべきアイテムは薬剤又はサプリメントであり、
通信手段を介して外部記憶手段からアイテム確認装置に処方データが送信され及び／又は通信手段を介して外部記憶手段の処方データを参照し、
アイテムに付されたコードをアイテム確認装置で読み取り、アイテム確認装置又は外部記憶手段の少なくともいずれかで、コードを解析してアイテムが処方データに含まれるアイテムであるか否かを確認し、集めるべきアイテムであることを条件として、前記アイテム確認装置での撮影が可能となることを特徴とする鑑査支援システム。
【請求項１２】
アイテム確認装置は、本体装置と、本体装置を設置する設置台とを有し、
本体装置は、撮影機能を有する撮影部と、光学的手段によるコード読み取り機能を有するコード読み取り部を個別に有し、
設置台は、本体装置を保持する保持部と、鏡部を有し、
本体装置が保持部に取り付けられ、アイテムの撮影又はアイテムに付されたコードの読み取りのいずれか一方を直接的に実施し、鏡部を介して他方を間接的に実施することを特徴とする請求項１１に記載の鑑査支援システム。
【請求項１３】
撮影部でアイテムを直接的に撮影し、鏡部を介してコード読み取り部でアイテムに付されたコードを間接的に読み取ることを含むことを特徴とする請求項１２に記載の鑑査支援システム。
【請求項１４】
アイテム確認装置で、薬剤又はサプリメントであるアイテムの種類を確認するためのアイテムの確認方法は、
通信手段を介して外部記憶手段からアイテムの確認装置に処方データが送信され及び／又は通信手段を介して外部記憶手段の処方データを参照し、
処方データに基づきアイテムが集められ、
集められたアイテムに付されたコードをアイテム確認装置で読み取り、
アイテム確認装置又は外部記憶手段の少なくともいずれかで、コードを解析して集められたアイテムが処方データに含まれるアイテムであるか否かを確認し、
集められたアイテムが処方データに含まれるアイテムである場合、アイテム確認装置で集められたアイテムを撮影することを特徴とするアイテムの確認方法。
【請求項１５】
アイテム確認装置は鏡部を有し、
アイテムの撮影又はアイテムに付されたコードの読み取りのいずれか一方を直接的に実施し、アイテム確認装置の鏡部を介して他方を間接的に実施することを特徴とする請求項１４に記載のアイテムの確認方法。
【請求項１６】
アイテム確認装置は撮影部とコード読み取り部とを有し、
撮影部でアイテムを直接的に撮影し、鏡部を介してコード読み取り部でアイテムに付されたコードを間接的に読み取ることを含むことを特徴とする請求項１５に記載のアイテムの確認方法。
【請求項１７】
処方データを有する外部記憶手段との間で情報通信を行う通信手段を備えた請求項１乃至１０のいずれかに記載のアイテム確認装置を動作させるアイテム確認装置用プログラムであって、アイテム確認装置は、集められたアイテムの種類を確認するものであり、集めるべきアイテムは薬剤又はサプリメントであるアイテム確認装置用プログラムであり、
通信手段を介して外部記憶手段からアイテム確認装置に処方データが送信され及び／又は通信手段を介して外部記憶手段の処方データを参照し、
アイテムに付されたコードをアイテム確認装置で読み取り、アイテム確認装置又は外部記憶手段の少なくともいずれかで、コードを解析して当該アイテムが処方データに含まれるアイテムであるか否かを確認し、集めるべきアイテムであることを条件として、アイテム確認装置での撮影が可能となることを特徴とするアイテム確認装置用プログラム。
【手続補正２】
【補正対象書類名】明細書
【補正対象項目名】０００６
【補正方法】変更
【補正の内容】
【０００６】
上記の課題を解決するために開発された本発明の一つの態様は、所定のコードが付されたアイテムを対象とし、アイテムの種類を確認するアイテム確認装置であって、本体装置と、本体装置を設置する設置台とを有し、本体装置は、撮影機能を有する撮影部と、光学的手段によるコード読み取り機能を有するコード読み取り部を個別に有し、設置台は、本体装置を保持する保持部と、鏡部を有し、本体装置が保持部に取り付けられ、アイテムの撮影又はアイテムに付されたコードの読み取りのいずれか一方を直接的に実施し、鏡部を介して他方を間接的に実施するアイテム確認装置である。
好ましい態様は、撮影部でアイテムを直接的に撮影し、鏡部を介してコード読み取り部でアイテムに付されたコードを間接的に読み取る動作を含むアイテム確認装置である。
さらに好ましい態様は、アイテムの撮影時又はアイテムに付されたコードの読み取り時に発生する音声を録音可能であるアイテム確認装置である。
上記の課題を解決するために開発された本発明の別の態様は、アイテム確認装置と、処方データを有する外部記憶手段と、通信手段を有する鑑査支援システムであって、アイテム確認装置は、集められたアイテムの種類を確認するものであり、集めるべきアイテムは薬剤又はサプリメントであり、通信手段を介して外部記憶手段からアイテム確認装置に処方データが送信され及び／又は通信手段を介して外部記憶手段の処方データを参照し、
アイテムに付されたコードをアイテム確認装置で読み取り、アイテム確認装置又は外部記憶手段の少なくともいずれかで、コードを解析してアイテムが処方データに含まれるアイテムであるか否かを確認し、集めるべきアイテムであることを条件として、アイテム確認装置での撮影が可能となる鑑査支援システムである。
好ましい態様は、アイテム確認装置は、本体装置と、本体装置を設置する設置台とを有し、本体装置は、撮影機能を有する撮影部と、光学的手段によるコード読み取り機能を有するコード読み取り部を個別に有し、設置台は、本体装置を保持する保持部と、鏡部を有し、本体装置が保持部に取り付けられ、アイテムの撮影又はアイテムに付されたコードの読み取りのいずれか一方を直接的に実施し、鏡部を介して他方を間接的に実施する鑑査支援システムである。
さらに好ましい態様は、撮影部でアイテムを直接的に撮影し、鏡部を介してコード読み取り部でアイテムに付されたコードを間接的に読み取ることを含む鑑査支援システムである。
上記の課題を解決するために開発された本発明の別の態様は、アイテム確認装置で、薬剤又はサプリメントであるアイテムの種類を確認するためのアイテムの確認方法は、通信手段を介して外部記憶手段からアイテムの確認装置に処方データが送信され及び／又は通信手段を介して外部記憶手段の処方データを参照し、処方データに基づきアイテムが集められ、集められたアイテムに付されたコードをアイテム確認装置で読み取り、アイテム確認装置又は外部記憶手段の少なくともいずれかで、コードを解析して集められたアイテムが処方データに含まれるアイテムであるか否かを確認し、集められたアイテムが処方データに含まれるアイテムである場合、アイテム確認装置で集められたアイテムを撮影するアイテムの確認方法である。
好ましい態様は、アイテム確認装置は鏡部を有し、アイテムの撮影又はアイテムに付されたコードの読み取りのいずれか一方を直接的に実施し、アイテム確認装置の鏡部を介して他方を間接的に実施するアイテムの確認方法である。
さらに好ましい態様は、アイテム確認装置は撮影部とコード読み取り部とを有し、撮影部でアイテムを直接的に撮影し、鏡部を介してコード読み取り部でアイテムに付されたコードを間接的に読み取ることを含むアイテムの確認方法である。
上記の課題を解決するために開発された本発明の別の態様は、所定のコードが付されたアイテムを対象とし、アイテムの種類を確認するアイテム確認装置において、本体装置と、本体装置を設置する設置台を有し、前記本体装置は、撮影機能と、光学的手段によるコード読み取り機能を備え、前記本体装置は、撮影部と、コード読み取り部を個別に有し、前記設置台は前記本体装置を保持する保持部と、鏡部を有し、前記本体装置を前記保持部に設置し、アイテムの撮影又はコードの読み取りのいずれか一方を直接的に実施し、他方を前記鏡部を介して行うことを特徴とするアイテム確認装置である。